(57)【要約】【課題】本発明は、多様な悪臭、揮発性有機化合物及び有害成分などを処理するのに適した脱臭フィルターを再生することができるシステムに構成することで、長期間にわたる使用にもかかわらず持続的な脱臭効率を維持し、結局より効率的な空気浄化をなすことができる再生脱臭フィルターを備えた空気浄化器及びこの空気浄化器の再生脱臭フィルターの再生方法を提供することにその目的がある。【解決手段】本発明は空気浄化器に係り、より詳しくは空気中のガス状物質を浄化、処理する脱臭フィルターを再生して長期間効率的に使用するようにした再生脱臭フィルターを備えた空気浄化器及びこの空気浄化器の再生脱臭フィルターの再生方法に関する。【選択図】図１
2010524628.tif 000002
【特許請求の範囲】
【請求項１】
吸入された空気中の粒子状物質を浄化、処理する一つ以上の粒子状物質除去フィルター；
吸入された空気中の悪臭、揮発性有機化合物及び有害ガスのようなガス状物質を吸着して浄化、処理する再生脱臭フィルター；及び
前記再生脱臭フィルターに吸着されたガス状物質を脱着、処理して、前記再生脱臭フィルターが継続的に再生、使用できるようにする脱着手段；を含むことを特徴とする、再生脱臭フィルターを備えた空気浄化器。
【請求項２】
前記再生脱臭フィルターは、全円周のうち、一定角度だけ吸着部が設けられ、前記吸着部以外の残り角度だけ脱着部が設けられ、前記再生脱臭フィルターの内部には回転可能な回転ローターが設置されたことを特徴とする、請求項１に記載の再生脱臭フィルターを備えた空気浄化器。
【請求項３】
前記回転ローターは、ガス状物質に対する吸着性能の高いゼオライト、活性アルミナ、多孔性シリカ、活性炭、及び珪藻土のいずれか一成分または複合成分でなったことを特徴とする、請求項２に記載の再生脱臭フィルターを備えた空気浄化器。
【請求項４】
前記回転ローターは、空気抵抗の低い支持体に、ガス状物質に対する吸着性能の高いゼオライト、活性アルミナ、多孔性シリカ、活性炭、及び珪藻土のいずれか一成分または複合成分がコートされてなったことを特徴とする、請求項２に記載の再生脱臭フィルターを備えた空気浄化器。
【請求項５】
前記脱着手段は、
前記再生脱臭フィルターの脱着部に送風される空気を加熱させるための加熱装置と；
前記加熱装置によって加熱された空気が前記脱着部を通過しながらガス状物質を脱着させた後に流入し、前記流入した空気中のガス状物質を浄化、処理する脱着空気処理装置と；
前記脱着空気処理装置によって浄化、処理された空気を外部に送風させるかまたは前記再生脱臭フィルターに流入させて再処理する脱着空気移送装置と；を含んでなることを特徴とする、請求項２に記載の再生脱臭フィルターを備えた空気浄化器。
【請求項６】
前記脱着手段は、
前記再生脱臭フィルターの脱着部に送風される空気が熱交換しながら通過する熱交換器と；
前記熱交換器を通過した空気が前記脱着部を通過しながらガス状物質を脱着させた後に流入し、前記流入した空気中のガス状物質を浄化、処理する脱着空気処理装置と；
前記脱着空気処理装置によって浄化、処理され、さらに熱交換器を通過する過程で前記再生脱臭フィルターの脱着部に送風される空気と熱交換した空気を外部に送風させるかまたは前記再生脱臭フィルターに流入させて再処理する空気移送装置と；を含んでなることを特徴とする、請求項５に記載の再生脱臭フィルターを備えた空気浄化器。
【請求項７】
前記脱着手段は、
前記再生脱臭フィルターの脱着部に送風される空気を加熱させる加熱装置と；
前記熱交換器を通過した空気が前記脱着部を通過しながらガス状物質を脱着させた後に通過する熱交換器と；
前記熱交換器を通過した空気が流入し、前記流入した空気中のガス状物質を浄化、処理する脱着空気処理装置と；
前記脱着空気処理装置によって浄化、処理され、さらに熱交換器を通過する過程で前記再生脱臭フィルターの脱着部を通過した空気と熱交換した空気を外部に送風させるかまたは前記再生脱臭フィルターに流入させて再処理する空気移送装置と；を含んでなることを特徴とする、請求項５に記載の再生脱臭フィルターを備えた空気浄化器。
【請求項８】
前記加熱装置は前記熱交換器と前記空気移送装置の間に設置されることにより、前記熱交換器を通過した空気と再生脱臭フィルターの脱着部に供給される空気が熱交換するようになったことを特徴とする、請求項７に記載の再生脱臭フィルターを備えた空気浄化器。
【請求項９】
前記再生脱臭フィルターは、全円周のうち、一定角度だけ吸着部が設けられ、前記吸着部以外の残り角度内で一定角度ずつ冷却部と脱着部が設けられ、前記再生脱臭フィルターの内部には回転可能な回転ローターが設置されたことを特徴とする、請求項１に記載の再生脱臭フィルターを備えた空気浄化器。
【請求項１０】
前記脱着手段は、
前記再生脱臭フィルターの冷却部を通過した空気を加熱して脱着部に送風させる加熱装置と；
前記加熱装置によって加熱された空気が前記脱着部を通過しながらガス状物質を脱着させた後に流入し、前記流入した空気中のガス状物質を浄化、処理する脱着空気処理装置と；
前記脱着空気処理装置によって浄化、処理され、前記加熱装置を通過する過程で前記冷却部を通過した空気と熱交換した空気を外部に送風させるか、または前記再生脱臭フィルターに流入させて再処理する空気移送装置と；を含んでなることを特徴とする、請求項９に記載の再生脱臭フィルターを備えた空気浄化器。
【請求項１１】
前記脱着手段は、
前記再生脱臭フィルターの冷却部を通過した空気を加熱して脱着部に送風させる加熱装置と；
前記加熱装置によって加熱された空気が前記脱着部を通過しながらガス状物質を脱着させた後に通過する過程で熱交換を行う熱交換器と；
前記熱交換器を通過した空気中のガス状物質を浄化、処理する脱着空気処理装置と；
前記脱着空気処理装置によって浄化、処理され、前記熱交換器を通過する過程で前記脱着部を通過した空気と熱交換した空気を外部に送風させるか、または前記再生脱臭フィルターに流入させて再処理する空気移送装置と；を含んでなることを特徴とする、請求項９に記載の再生脱臭フィルターを備えた空気浄化器。
【請求項１２】
前記脱着手段は、
前記再生脱臭フィルターの脱着部に空気を吸入する空気移送装置と；
前記再生脱臭フィルターに送風される空気の圧力を調節する圧力調節装置と；
前記空気移送装置によって再生脱臭フィルターを通過した空気中のガス状物質を浄化、処理する脱着空気処理装置と；を含んでなることを特徴とする、請求項２に記載の再生脱臭フィルターを備えた空気浄化器。
【請求項１３】
前記脱着空気処理装置は、触媒酸化装置、吸着剤装置、冷却凝縮装置、光触媒装置、オゾン酸化装置の中で一つ以上を組み合わせた構成であることを特徴とする、請求項５〜１２のいずれか一項に記載の再生脱臭フィルターを備えた空気浄化器。
【請求項１４】
前記脱着空気処理装置は、内部空気を一定温度に予熱させるヒーターと、内部に流入した空気中のガス状物質を触媒酸化させて燃消させる触媒層とからなる触媒酸化装置であることを特徴とする、請求項５〜１２のいずれか一項に記載の再生脱臭フィルターを備えた空気浄化器。
【請求項１５】
前記再生脱臭フィルターの着脱部に送風される空気は５０〜３００℃に加熱されることを特徴とする、請求項５〜１１のいずれか一項に記載の再生脱臭フィルターを備えた空気浄化器。
【請求項１６】
前記脱着空気処理装置を通過した空気は５０〜４００℃に維持されることを特徴とする、請求項５〜１１のいずれか一項に記載の再生脱臭フィルターを備えた空気浄化器。
【請求項１７】
前記ヒーターは、脱着空気処理装置の内部を５０℃以上に予熱させることを特徴とする、請求項１４に記載の再生脱臭フィルターを備えた空気浄化器。
【請求項１８】
前記再生脱臭フィルターを通過した空気が通過する過程で、浄化、処理されなかった物質を浄化、処理するとともに、陰イオン、遠赤外線などの抗菌剤を添加する後処理フィルターをさらに含むことを特徴とする、請求項１〜１２のいずれか一項に記載の再生脱臭フィルターを備えた空気浄化器。
【請求項１９】
請求項１〜１２のいずれか一項に記載の再生脱臭フィルターを備えた空気浄化器の前記再生脱臭フィルターを再生する方法において、
（ａ）吸入された空気中の粒子状物質を粒子状物質除去フィルタールで浄化、処理する段階；
（ｂ）吸入された空気中のガス状物質を再生脱臭フィルターで吸着して浄化、処理する段階；及び
（ｃ）前記再生脱臭フィルターによって吸着されたガス状物質を脱着して浄化、処理することで、前記再生脱臭フィルターを継続的に再生して使用する脱着段階；を含んでなることを特徴とする、空気浄化器の再生脱臭フィルターの再生方法。
【発明の詳細な説明】
【技術分野】
【０００１】
本発明は空気浄化器に係り、より詳しくは、悪臭、揮発性有機化合物及び有害成分などのガス状物質を効果的に処理するための再生脱臭フィルターを備えた空気浄化器及びこの空気浄化器の再生脱臭フィルターを再生する方法に関する。
【背景技術】
【０００２】
一般に、空気浄化器は、家庭または公共施設及び産業現場で、粒子状物質、細菌、悪臭、揮発性有機化合物及び有害成分などを処理して快適な空気を提供する手段として広く利用されている。
【０００３】
空気浄化器は、ほこりや細菌などの粒子状物質を処理する複数のフィルターと、悪臭、揮発性有機化合物及び有害成分などのガス状物質を処理する脱臭フィルターとからなる。
【０００４】
通常に、粒子状物質を処理するフィルターは、粒子の篩効果（ｓｉｅｖｉｎｇ）を用いるフィルターと、静電気を用いる電気集塵式静電フィルターがた多く利用されている。ガス状物質を処理する脱臭フィルターの場合、活性炭とゼオライトを用いる固定床吸着フィルターと、オゾンを用いるオゾン酸化フィルターと、光触媒を用いる光触媒フィルターなどが広く利用されている。
【０００５】
このうち、活性炭及びゼオライトを用いる固定床吸着フィルターの場合、低濃度で平衡吸着量が少なくなり、吸着された吸着成分が物理的結合によって吸着されているため、外部温度及び濃度などの外部環境によって再脱着される現象が起こり、しかも自体再生機能を持っていなくて寿命も制限される欠点がある。
【０００６】
一方、オゾンを用いるオゾン酸化フィルターの場合、オゾン酸化力を用いるシステムであり、フィルターの入れ替えなしに長期間使用することができる利点はあるが、環境汚染物質であるオゾンを用いるため、反応しなかったオゾンが外部に流出される場合、喘息及びアレルギーなどを引き起こす原因になるという欠点がある。
【０００７】
また、特許文献１のように、光触媒フィルターを用いるエアクリーナーの場合、光触媒の有害成分の反応速度が遅く、紫外線の照射を均一に行わなければならない困難さがあり、反応過程でオゾンなどの２次有害成分が発生することになる欠点がある。
【先行技術文献】
【特許文献】
【０００８】
【特許文献１】大韓民国公開特許公報第１０−２００５−６６３５３号
【発明の概要】
【発明が解決しようとする課題】
【０００９】
したがって、本発明は前記のような問題点に鑑みてなされたもので、多様な悪臭、揮発性有機化合物及び有害成分などを処理するのに適した脱臭フィルターを再生することができるシステムに構成することで、長期間にわたる使用にもかかわらず持続的な脱臭効率を維持し、結局より効率的な空気浄化をなすことができる再生脱臭フィルターを備えた空気浄化器及びこの空気浄化器の再生脱臭フィルターの再生方法を提供することにその目的がある。
【課題を解決するための手段】
【００１０】
前記のような目的を達成するために、本発明は、吸入された空気中の粒子状物質を浄化、処理する一つ以上の粒子状物質除去フィルター；吸入された空気中の悪臭、揮発性有機化合物及び有害ガスのようなガス状物質を吸着して浄化、処理する再生脱臭フィルター及び；前記再生脱臭フィルターに吸着されたガス状物質を脱着、処理して、前記再生脱臭フィルターが継続的に再生、使用できるようにする脱着手段；を含む、再生脱臭フィルターを備えた空気浄化器を提供する。
【００１１】
前記再生脱臭フィルターは、全円周のうち、一定角度だけ吸着部が設けられ、前記吸着部以外の残り角度だけ脱着部が設けられ、前記再生脱臭フィルターの内部には回転可能な回転ローターが設置されることができる。
【００１２】
前記回転ローターは、ガス状物質に対する吸着性能の高いゼオライト、活性アルミナ、多孔性シリカ、活性炭、及び珪藻土のいずれか一成分または複合成分でなることができ、また、前記回転ローターは、空気抵抗の低い支持体に、ガス状物質に対する吸着性能の高いゼオライト、活性アルミナ、多孔性シリカ、活性炭、及び珪藻土のいずれか一成分または複合成分がコートされてなることができる。
【００１３】
また、前記脱着手段は、前記再生脱臭フィルターの脱着部に送風される空気を加熱させるための加熱装置と；前記加熱装置によって加熱された空気が前記脱着部を通過しながらガス状物質を脱着させた後に流入し、前記流入した空気中のガス状物質を浄化、処理する脱着空気処理装置と；前記脱着空気処理装置によって浄化、処理された空気を外部に送風させるかまたは前記再生脱臭フィルターに流入させて再処理する脱着空気移送装置と；を含んでなることができる。
【００１４】
また、前記脱着手段は、前記再生脱臭フィルターの脱着部に送風される空気が熱交換しながら通過する熱交換器と；前記熱交換器を通過した空気が前記脱着部を通過しながらガス状物質を脱着させた後に流入し、前記流入した空気中のガス状物質を浄化、処理する脱着空気処理装置と；前記脱着空気処理装置によって浄化、処理され、さらに熱交換器を通過する過程で前記再生脱臭フィルターの脱着部に送風される空気と熱交換した空気を外部に送風させるかまたは前記再生脱臭フィルターに流入させて再処理する空気移送装置と；を含んでなることができる。
【００１５】
また、前記脱着手段は、前記再生脱臭フィルターの脱着部に送風される空気を加熱させる加熱装置と；前記熱交換器を通過した空気が前記脱着部を通過しながらガス状物質を脱着させた後に通過する熱交換器と；前記熱交換器を通過した空気が流入し、前記流入した空気中のガス状物質を浄化、処理する脱着空気処理装置と；前記脱着空気処理装置によって浄化、処理され、さらに熱交換器を通過する過程で前記再生脱臭フィルターの脱着部を通過した空気と熱交換した空気を外部に送風させるかまたは前記再生脱臭フィルターに流入させて再処理する空気移送装置と；を含んでなることができる。
【００１６】
この際、前記加熱装置は前記熱交換器と前記空気移送装置の間に設置されることにより、前記熱交換器を通過した空気と再生脱臭フィルターの脱着部に供給される空気が熱交換するようになることができる。
【００１７】
前記再生脱臭フィルターは、全円周のうち、一定角度だけ吸着部が設けられ、前記吸着部以外の残り角度内で一定角度ずつ冷却部と脱着部が設けられ、前記再生脱臭フィルターの内部には回転可能な回転ローターが設置されることができる。
【００１８】
この際、前記脱着手段は、前記再生脱臭フィルターの冷却部を通過した空気を加熱して脱着部に送風させる加熱装置と；前記加熱装置によって加熱された空気が前記脱着部を通過しながらガス状物質を脱着させた後に流入し、前記流入した空気中のガス状物質を浄化、処理する脱着空気処理装置と；前記脱着空気処理装置によって浄化、処理され、前記加熱装置を通過する過程で前記冷却部を通過した空気と熱交換した空気を外部に送風させるか、または前記再生脱臭フィルターに流入させて再処理する空気移送装置と；を含んでなることができる。
【００１９】
また、前記脱着手段は、前記再生脱臭フィルターの冷却部を通過した空気を加熱して脱着部に送風させる加熱装置と；前記加熱装置によって加熱された空気が前記脱着部を通過しながらガス状物質を脱着させた後に通過する過程で熱交換を行う熱交換器と；前記熱交換器を通過した空気中のガス状物質を浄化、処理する脱着空気処理装置と；前記脱着空気処理装置によって浄化、処理され、前記熱交換器を通過する過程で前記脱着部を通過した空気と熱交換した空気を外部に送風させるか、または前記再生脱臭フィルターに流入させて再処理する空気移送装置と；を含んでなることができる。
【００２０】
また、前記脱着手段は、前記再生脱臭フィルターの脱着部に空気を吸入する空気移送装置と；前記再生脱臭フィルターに送風される空気の圧力を調節する圧力調節装置と；前記空気移送装置によって再生脱臭フィルターを通過した空気中のガス状物質を浄化、処理する脱着空気処理装置と；を含んでなることができる。
【００２１】
前記脱着空気処理装置は、触媒酸化装置、吸着剤装置、冷却凝縮装置、光触媒装置、オゾン酸化装置の中で一つ以上を組み合わせた構成であることができ、また、前記脱着空気処理装置は、内部空気を一定温度に予熱させるヒーターと、内部に流入した空気中のガス状物質を触媒酸化させて燃消させる触媒層とからなる触媒酸化装置であることができる。
【００２２】
前記再生脱臭フィルターの着脱部に送風される空気は５０〜３００℃に加熱されることができる。
【００２３】
前記脱着空気処理装置を通過した空気は５０〜４００℃に維持されることができる。
【００２４】
前記ヒーターは、脱着空気処理装置の内部を５０℃以上に予熱させることができる。
【００２５】
前記空気浄化器は、前記再生脱臭フィルターを通過した空気が通過する過程で、浄化、処理されなかった物質を浄化、処理するとともに、陰イオン、遠赤外線などの抗菌剤を添加する後処理フィルターをさらに含むことができる。
【００２６】
他の面によれば、本発明は、前記のような再生脱臭フィルターを備えた空気浄化器の前記再生脱臭フィルターを再生する方法において、（ａ）吸入された空気中の粒子状物質を粒子状物質除去フィルタールで浄化、処理する段階；（ｂ）吸入された空気中のガス状物質を再生脱臭フィルターで吸着して浄化、処理する段階；及び（ｃ）前記再生脱臭フィルターによって吸着されたガス状物質を脱着して浄化、処理することで、前記再生脱臭フィルターを継続的に再生して使用する脱着段階；を含んでなる、空気浄化器の再生脱臭フィルターの再生方法を提供する。
【図面の簡単な説明】
【００２７】
【図１】図１は本発明の第１実施例による空気浄化器の構成を概略的に示す構成図である。
【図２】図２は図１の空気浄化器に適用される再生脱臭フィルターを示す正面図である。
【図３】図３は本発明の第１実施例による再生脱臭フィルターの一側にガスセンサーが設置された構成を示す構成図である。
【図４】図４は本発明の第１実施例による空気浄化器において、脱着空気処理装置として触媒酸化装置が適用されたものを示す構成図である。
【図５】図５は本発明の第２実施例による空気浄化器の構成を概略的に示す構成図である。
【図６】図６は本発明の第３実施例による空気浄化器の構成を概略的に示す構成図である。
【図７】図７は本発明の第３実施例による空気浄化器（図６参照）において、再生脱臭フィルターの脱着部に送風される空気の送風方向が反対になったものを示す図である。
【図８】図８は本発明の第４実施例による空気浄化器の構成を概略的に示す構成図である。
【図９】図９は本発明の第４実施例による空気浄化器（図８参照）において、再生脱臭フィルターの脱着部に送風される空気の送風方向が反対になったものを示す図である。
【図１０】図１０は本発明の第５実施例による空気浄化器の構成を概略的に示す構成図である。
【図１１】図１１は本発明の第５実施例による空気浄化器（図１０参照）において、再生脱臭フィルターの脱着部に送風される空気の送風方向が反対になったものを示す図である。
【図１２】図１２は本発明の第６実施例による空気浄化器の構成を概略的に示す構成図である。
【図１３】図１３は本発明の第６実施例による空気浄化器に適用される再生脱臭フィルターを示す正面図及び斜視図である。
【図１４】図１４は本発明の第７実施例による空気浄化器の概略的な構成を示す構成図である。
【図１５】図１５は本発明の第８実施例による空気浄化器の概略的な構成を示す構成図である。
【発明を実施するための形態】
【００２８】
以下、本発明を添付図面に示す実施例に基づいて詳細に説明する。
【００２９】
＜第１実施例＞
図１は本発明の第１実施例による空気浄化器の構成を概略的に示す構成図、図２は図１の空気浄化器に適用される再生脱臭フィルターを示す正面図である。
【００３０】
図示のように、本発明の第１実施例による空気浄化器１は、空気移送経路２に沿って、粗粒子状物質除去フィルター１０、微粒子状物質除去フィルター２０、再生脱臭フィルター３０、複数の後処理フィルター４０、５０、及び空気移送装置６０が順次設置された構造である。
【００３１】
ここで、前記フィルター１０、２０、３０、４０、５０のうち、再生脱臭フィルター３０を除いた残りのフィルター１０、２０、４０、５０は必要によって配列順を変更するか、あるいは付け加えるかまたは除去することもできる。
【００３２】
前記粗粒子状物質除去フィルター１０と微粒子状物質除去フィルター２０などの粒子状物質除去フィルターは、その数量に限定はないが、ほこり、細菌などを効果的に除去するように、複数を備えることが好ましく、一般的なエアフィルター、ミディアムフィルター、ＨＥＰＡフィルターなどが適用でき、場合によっては電気集塵式静電フィルターを適用することもできる。
【００３３】
前記再生脱臭フィルター３０は、図２に示すように、その円周に沿って一定角度だけ設けられ、ガス状物質が吸着される吸着部３２と、この吸着部３２を除いた残りの角度だけ設けられ、脱着エネルギーによってガス状物質が脱着される脱着部３４とからなり、その内部には回転する吸着ローター３６が設置されている。
【００３４】
前記吸着ローター３６は、一定速度で連続して回転しながらガス状物質の吸着と脱着を繰り返す運転が可能であり、吸着ローター３６が回転しないで吸着過程のみを継続していて、一定時間が経過して吸着部３２が破過点（ｂｒｅａｋｔｈｒｏｕｇｈ  ｐｏｉｎｔ）に到逹すれば、回転しながら脱着過程を行う方式で運転可能である。
【００３５】
再生脱臭フィルター３０内の吸着ローター３６は、ゼオライト、多孔性シリカ、活性アルミナ、活性炭及び珪藻土のなかでいずれか一成分または複合成分で成形するか、あるいは通気性にすぐれたハニカム構造の折曲型支持体に前記吸着剤成分をコートして使用することができる。
【００３６】
前記後処理フィルター４０、５０は、再生脱臭フィルター３０を通過した空気のうち、残分の粒子状物質とガス状物質をさらにきれいに処理するか、陰イオン、遠赤外線などの抗菌剤を放射して空気の質を一層快適にする機能を担当する。このような後処理フィルター４０、５０を通過した空気は空気移送装置６０によって空気浄化器１の外部に排出される。
【００３７】
一方、再生脱臭フィルター３０の吸着ローター３６に吸着されたガス状物質は、吸着ローター３６の回転につれて、脱着部で後述の脱着手段１００によって脱着された後、浄化、処理されることができる。
【００３８】
前記脱着手段１００は、再生脱臭フィルター３０の脱着部３４に送風される空気を吸着温度以上の脱着温度に加熱させる加熱装置１１０と、前記脱着部３４から脱着されたガス状物質を含む空気を浄化、処理する脱着空気処理装置１２０と、この脱着空気処理装置１２０を通過した空気を送風させるための脱着空気移送装置１３０とを含んでなる。
【００３９】
ここで、前記加熱装置１１０によって加熱される空気の温度は５０〜７００℃まで適用可能であるが、好ましくは５０〜３００℃である。
【００４０】
前記脱着空気処理装置１２０は、触媒を使う触媒酸化方式を用いることが好ましいが、制限なしに、吸着剤方式、冷却凝縮方式、光触媒方式、オゾン酸化方式のなかでいずれか一つ以上の方式を組み合わせた方式を用いてもかまわない。
【００４１】
また、再生脱臭フィルター３０の脱着部３４で脱着されたガス状物質を含む空気を外部に排出することが可能な設置場所の場合、脱着されたガス状物質を含む空気を直接外部に排出させることもよいが、一般的な空気浄化器の場合、密閉空間内で使用されるため、前記のような脱着空気処理装置１２０を備えることが好ましく、この脱着空気処理装置１２０を通過した空気は空気浄化器１内に再流入して再処理できるようにすることが好ましい。
【００４２】
前記のような構成の空気浄化器１を用いる空気浄化過程を説明すれば次のようである。
【００４３】
まず、空気浄化器１内に流入した空気中のほこり、細菌などのような粒子状物質は粗粒子状物質除去フィルター１０及び微粒子状物質除去フィルター２０によって濾過され、前記粒子状物質が濾された空気は再生脱臭フィルター３０を通過しながら悪臭、揮発性有機化合物及び有害成分などのようなガス状物質が濾過され、前記ガス状物質が濾過された空気は後処理フィルター４０、５０を通過しながら陰イオン、遠赤外線放射とともにカテキンなどの硫酸化物質が添加された状態で空気移送装置６０によって室内に吐き出される。
【００４４】
前記再生脱臭フィルター３０を通過する過程で濾過されるガス状物質は、再生脱臭フィルター３０内で回転可能な吸着ローター３６に吸着されて濾過され、この吸着ローター３６が回転するにつれて、脱着部３４に連設された脱着手段１００によってガス状物質が脱着、処理されながら再生される。
【００４５】
すなわち、再生脱臭フィルター３０の脱着部３４の一側に設置された加熱装置１１０によって設定温度に加熱された空気が送風されることによって、前記脱着部３４に位置する吸着ローター３６の一部に吸着されたガス状物質が脱着され、このように脱着されたガス状物質は脱着空気処理装置１２０によって浄化、処理された後、脱着空気移送装置１３０によって空気浄化器１内にさらに流入して再処理される。
【００４６】
ここで、前記脱着部３４で脱着されたガス状物質を含む空気は室外に排出されることもできる。
【００４７】
このように、前記吸着ローター３６は回転可能な構成のもので、連続的な回転によって全面積が順次脱着部３４に位置することによって、吸着ローター３６の全体に吸着されたガス状物質を脱着させて再生させることができるものである。
【００４８】
一方、図３は本発明の第１実施例において、再生脱臭フィルターの一側にガスセンサーが設置された構成を示す図で、図示のように、再生脱臭フィルター３０に吸着されたガス状物質の濃度をガスセンサー１４０が感知して再生脱臭フィルター３０の再生可否を判断して作動を行うようにすることもできる。
【００４９】
すなわち、再生脱臭フィルター３０に吸着されたガス状物質の濃度が設定値以上の場合、再生脱臭フィルター３０の駆動部３８と脱着空気移送装置１３０の駆動部１３２が稼動して再生脱臭フィルター３０を再生させ、その濃度が設定値以下の場合、前記駆動部３８、１３２が稼動しないことで、低い運転費で最適の処理効率を具現することもできる。
【００５０】
言い替えれば、再生脱臭フィルター３０に吸着されるガス状物質は空気浄化器１が使用される環境によってその量が変わるしかなく、これによって再生の頻度も変わるしかない。比較的環境汚染が低い環境で再生脱臭フィルター３０及び脱着手段１００を継続して稼働させる場合、無駄な運転費がかかることがあり得るので、前記のように再生脱臭フィルター３０に吸着されたガス状物質の濃度を感知し、必要によって再生されるようにすることが好ましい。
【００５１】
一方、図４は本発明の第１実施例による空気浄化器において、脱着空気処理装置として触媒酸化装置が適用されたものを示す構成図で、図示のように、脱着空気処理装置１２０として、その内部を予熱させるヒーター１２２と通過される空気中のガス状物質を触媒酸化させて燃消させる触媒層１２４とからなる触媒酸化装置が適用できる。
【００５２】
ここで、前記ヒーター１２２は、触媒酸化装置１２０の内部を５０℃以上に予熱させることになり、ガス状物質を酸化分解させる最適の温度は５０〜４００℃を維持することが好ましい。
【００５３】
＜第２実施例＞
図５は本発明の第２実施例による空気浄化器の構成を概略的に示す構成図である。
【００５４】
本発明の第２実施例の説明において、以前の第１実施例と同一部分に対しては同一符号を付けて説明し、その反復説明は省略する。
【００５５】
本発明の第２実施例による空気浄化器１は、以前の第１実施例の空気浄化器において再生脱着フィルターの脱着手段を高温による脱着でなく圧力による脱着がなされるようにしたものである。
【００５６】
前記脱着手段２００は、再生脱着フィルター３０の脱着部３４に送風される空気の圧力を調節する圧力調節装置２１０と、前記圧力調節装置２１０によって圧力が調節された空気を吸入して再生脱着フィルター３０の脱着部３４を通過する過程でガス状物質を脱着させるようにする脱着空気移送装置２２０と、前記脱着空気移送装置２２０によって吸入された空気によって脱着されたガス状物質を含む空気を浄化、処理する脱着空気処理装置２３０とを含んでなる。
【００５７】
前記脱着空気処理装置２３０も触媒を使う触媒酸化方式を用いることが好ましいが、制限なしに、吸着剤方式、冷却凝縮方式、光触媒方式、オゾン酸化方式のなかでいずれか一つ以上の方式を組み合わせた方式を用いてもかまわない。
【００５８】
前記のような構成の空気浄化器を用いる空気浄化過程を説明すれば次のようである。
【００５９】
まず、空気浄化器１内に流入した空気中のほこり、細菌などのような粒子状物質は粗粒子状物質除去フィルター１０及び微粒子状物質除去フィルター２０によって濾過され、前記粒子状物質が濾過された空気は再生脱臭フィルター３０を通過する過程で悪臭、揮発性有機化合物及び有害成分などのようなガス状物質が濾過され、前記ガス状物質が濾過された空気は後処理フィルター４０、５０を通過する過程で陰イオン、遠赤外線放射とともにカテキンなどの硫酸化物質が添加された状態で空気移送装置６０によって室内に吐き出される。
【００６０】
前記再生脱臭フィルター３０を通過する過程で濾過されるガス状物質は、再生脱臭フィルター３０内で回転可能な吸着ローター３６に吸着されて濾過され、この吸着ローター３６が回転するにつれて、脱着部３４に連設された脱着手段２００によってガス状物質が脱着、処理されて再生される。
【００６１】
すなわち、再生脱臭フィルター３０の脱着部３４の一側に設置された圧力調節装置２１０によって設定圧力に調節された空気が送風されることによって、前記脱着部３４に位置する吸着ローター３６の一部に吸着されているガス状物質が脱着され、このように脱着されたガス状物質を含む空気は脱着空気処理装置２３０によって浄化、処理される。
【００６２】
ここで、前記脱着空気移送装置２２０は、圧力調節装置２１０によって圧力が調節された空気が脱着部３４を通過するように吸入して脱着空気処理装置２３０に送風させることになる。
【００６３】
＜第３実施例＞
図６は本発明の第３実施例による空気浄化器の構成を概略的に示す構成図である。
【００６４】
本発明の第３実施例の説明において、以前の第１実施例及び第２実施例と同一部分に対しては同一符号を付けて説明し、その反復説明は省略する。
【００６５】
本発明の第３実施例による空気浄化器１は、再生脱臭フィルター３０の脱着手段を高温によってガス状物質が脱着されるようにしたものを適用し、脱着空気処理装置３２０を触媒酸化装置として適用したものである。
【００６６】
前記脱着手段３００は、再生脱臭フィルター３０の脱着部３４に送風される空気の温度を高温に熱交換させる熱交換器３１０と、前記熱交換器３１０を通過した高温の空気によって、脱着部３４で脱着されたガス状物質を含む空気を浄化、処理する触媒酸化装置３２０と、この触媒酸化装置３２０を通過した空気を送風させるための脱着空気移送装置３３０とを含んでなる。
【００６７】
ここで、前記触媒酸化装置３２０は、５０℃以上にその内部を予熱させるヒーター３２２と、流入したガス状物質を酸化分解させる触媒層３２４とを含んでなる。ガス状物質を酸化分解させる最適の温度は５０〜４００℃が最も好ましいがガス状物質の成分濃度によって変わることができる。
【００６８】
前記触媒酸化装置３２０を通過することによって浄化、処理された空気は高温の状態でさらに熱交換器３１０を通過することになり、再生脱臭フィルター３０の脱着部３４に供給される空気と熱交換して、前記脱着部３４に供給される空気を高温、つまり５０〜３００℃の高温に熱交換させることになり、脱着空気移送装置３３０によって外部に排出されるか、あるいは必要によってさらに再生脱臭フィルター３０の先端に流入して残余ガス状物質が再処理されることもできる。
【００６９】
前記のような構成の空気浄化器を用いる空気浄化過程を説明すれば次のようである。
【００７０】
まず、空気浄化器内に流入した空気中のほこり、細菌などのような粒子状物質は粗粒子状物質除去フィルター１０及び微粒子状物質除去フィルター２０によって濾過され、前記粒子状物質が濾過された空気は再生脱臭フィルター３０を通過する過程で悪臭、揮発性有機化合物及び有害成分などのようなガス状物質が濾過され、前記ガス状物質が濾過された空気は後処理フィルター４０、５０を通過する過程で陰イオン、遠赤外線放射とともにカテキンなどの硫酸化物質が添加された状態で空気移送装置６０によって室内に吐き出される。
【００７１】
前記再生脱臭フィルター３０を通過する過程で濾過されるガス状物質は、再生脱臭フィルター３０内で回転可能な吸着ローター３６に吸着されて濾過され、この吸着ローター３６が回転するにつれて、脱着部３４に連設された脱着手段３００によってガス状物質が脱着、処理されて再生される。
【００７２】
すなわち、再生脱臭フィルター３０の脱着部３４の一側に設置された熱交換器３１０によって設定温度に調節された空気が送風されることによって、前記脱着部３４に位置する吸着ローター３６の一部に吸着されているガス状物質が脱着され、このように脱着されたガス状物質は触媒酸化装置３２０の触媒層３２４で酸化分解されて処理される。
【００７３】
この際、前記触媒酸化装置３２０内の温度は５０〜４００℃を維持し、ガス状物質が酸化分解されて処理された状態での空気は高温を維持したままで熱交換器３１０を通過する過程で、再生脱臭フィルター３０の脱着部３４に供給される空気を熱交換によって設定温度、つまり５０〜３００℃の温度に変温させた後、脱着空気移送装置３３０によって外部に排出されるか、あるいは再生脱臭フィルター３０の先端にさらに流入して再処理される。
【００７４】
参考のために、図７は本発明の第３実施例による空気浄化器（図６参照）において、再生脱臭フィルターの脱着部に送風される空気の送風方向が反対になったものを示す図で、その構成及び作動関係は以前の第３実施例と同一であるので、その反復説明は省略する。
【００７５】
＜第４実施例＞
一方、図８は本発明の第４実施例による空気浄化器の構成を概略的に示す構成図で、図示のように、脱着手段４００のうち、再生脱臭フィルター３０の脱着部３４に送風される空気を加熱する加熱装置４１０をさらに備えた構成を示すものである。以前の実施例と同一部分に対しては同一符号を付けて説明し、その反復説明は省略する。
【００７６】
本発明の第４実施例による脱着手段４００は、再生脱臭フィルター３０の脱着部３４に送風される空気を設定温度である５０〜３００℃に加熱させる加熱装置４１０と、この加熱装置４１０によって加熱された空気が再生脱臭フィルター３０の脱着部３４を通過する過程でガス状物質を脱着させたままで通過する熱交換器４２０と、この熱交換器４２０を通過した空気中のガス状物質を浄化、処理する触媒酸化装置４３０と、この触媒酸化装置４３０で浄化された空気を外部に排出させるか、あるいは空気浄化器の再生脱臭フィルター３０の先端にさらに流入させて再処理するようにする脱着空気移送装置４４０とを含んでなることもできる。
【００７７】
ここで、前記熱交換器４２０は、脱着部３４を通過した空気が通過するとともに触媒酸化装置４３０を通過した空気が他の方向に通過するようになったもので、前記触媒酸化装置４３０を通過した空気の高温によって、脱着部３４を通過した空気はさらに高い温度に熱交換される。
【００７８】
図面において、未説明符号４３２は触媒酸化装置に適用されるヒーター、４３４は触媒層を示すものである。
【００７９】
参考のために、図９は本発明の第４実施例による空気浄化器（図８参照）において、再生脱臭フィルターの脱着部に送風される空気の送風方向が反対になったものを示す図で、その構成及び作動関係は以前の第４実施例と同一であるので、その反復説明は省略する。
【００８０】
＜第５実施例＞
一方、図１０は本発明の第５実施例による空気浄化器の構成を概略的に示す構成図で、図８に示すような第４実施例による空気浄化器の構成において、再生脱臭フィルター３０の脱着部３４に加熱された空気を供給するための加熱装置４１０が熱交換器４２０と脱着空気移送装置４４０の間に設置された構成を示すものである。以前の実施例と同一部分に対しては同一符号を付けて説明し、その反復説明は省略する。
【００８１】
すなわち、前記加熱装置４１０が熱交換器４２０と脱着空気移送装置４４０の間に設置されれば、触媒酸化装置４３０及び熱交換器４２０を通過した高温の浄化、処理された空気が前記加熱装置４１０を通過する過程で、再生脱臭フィルター３０の脱着部３４に供給される空気と熱交換をなすことにより、前記再生脱臭フィルター３０の脱着部３４に供給される空気は設定温度である５０〜３００℃に昇温しやすくなる。
【００８２】
参考のために、図１１は本発明の第５実施例による空気浄化器（図１０参照）において、再生脱臭フィルターの脱着部に送風される空気の送風方向が反対になったものを示す図である。その構成及び作動関係は以前の第５実施例と同一であるので、その反復説明は省略する。
【００８３】
＜第６実施例＞
図１２は本発明の第６実施例による空気浄化器の構成を概略的に示す構成図、図１３は本発明の第６実施例による空気浄化器に適用される再生脱臭フィルターを示す正面図及び斜視図である。
【００８４】
本発明の第６実施例は、再生脱臭フィルター３０の一部が冷却部３４ａでなって、再生脱臭フィルター３０の脱着部３４を高温の空気が通過することによって吸着ローター３６の全体が必要以上に加熱されることを予防するためのもので、再生脱臭フィルター３０の構成とこの再生脱臭フィルター３０の脱着部３４に位置する吸着ローター３６の一部のガス状物質を脱着するための脱着手段５００の構成が以前の実施例と異なるだけ、その外の構成及び作動関係は同様であるので、以前の実施例と同一部分に対しては同一符号を付けて説明し、その反復説明は省略する。
【００８５】
まず、図１３に示すように、再生脱臭フィルター３０にはその内部に回転可能な吸着ローター３６が設置されており、前記再生脱臭フィルター３０は、円周に沿ってガス状物質が吸着される吸着部３２と、脱着エネルギーによって脱着がなされる脱着部３４及び冷却部３４ａとからなっている。
【００８６】
すなわち、前記再生脱臭フィルター３０の円周に沿って一定角度だけ吸着部３２が形成され、この吸着部３２を除いた残りの角度だけそれぞれ脱着部３４と冷却部３４ａが形成されている。
【００８７】
そして、前記吸着ローター３６に吸着されたガス状物質のなかで、再生脱臭フィルター３０の脱着部３４に位置するガス状物質を脱着させるための脱着手段５００は、再生脱臭フィルター３０の脱着部３４に送風させる空気を吸着温度以上の脱着温度に加熱させる加熱装置５１０と、前記脱着部３４で脱着された空気を浄化、処理する脱着空気処理装置５２０と、この脱着空気処理装置５２０を通過した空気を送風させるための脱着空気移送装置５３０とを含んでなる。
【００８８】
ここで、前記加熱装置５１０に供給される空気は再生脱臭フィルター３０の冷却部３４ａを通じて供給される。
【００８９】
そして、前記脱着空気処理装置５２０は、ヒーター５２２と触媒層５２４を持つ触媒酸化装置を適用することが好ましい。
【００９０】
前記のような構成でなった本発明の第６実施例による空気浄化装置の作動関係を説明すれば次のようである。
【００９１】
再生脱臭フィルター３０の脱着部３４の一側に設置された加熱装置５１０によって設定温度に加熱された空気が送風されることによって、前記脱着部３４に位置する吸着ローター３６の一部に吸着されているガス状物質が脱着され、このように脱着されたガス状物質は脱着空気処理装置５２０によって浄化、処理された後、脱着空気移送装置５３０によって外部に放出されるか、あるいは空気浄化器１内にさらに流入して再処理される。
【００９２】
このように、前記吸着ローター３６は回転可能な構成であり、連続的な回転によって全面積が順次脱着部に位置することにより、吸着ローター３６の全体に吸着されたガス状物質を脱着させて再生させることができるものである。
【００９３】
ところが、前記脱着部３４に、加熱装置５１０によって加熱された高温の空気が送風され、吸着ローター３６は連続的に回転しながら脱着部３４を循環することになり、吸着ローター３６は連続的に加熱されて必要以上に加熱されるおそれがある。
【００９４】
したがって、常温の空気が再生脱臭フィルター３０の冷却部３４ａを通じて加熱装置５１０に供給されることにより、脱着部３４を通過する高温の空気によって加熱される吸着ローター３６を冷却させることによって前記のようなおそれをなくすことができる。
【００９５】
＜第７実施例＞
一方、図１４は本発明の第７実施例による空気浄化器の概略的な構成を示す構成図で、以前の第６実施例の変形実施例を示すものである。その同一部分に対しては同一符号を付けて説明し、その反復説明は省略する。
【００９６】
図示のように、本発明の第７実施例による空気浄化器の脱着手段６００は、再生脱臭フィルター３０の脱着部３４に送風させる空気を吸着温度以上の脱着温度に加熱させる加熱装置６１０と、前記脱着部３４で脱着されたガス状物質を含む空気が通過する熱交換器６２０と、前記熱交換器６２０を通過した空気中のガス状物質を浄化、処理する脱着空気処理装置６３０と、この脱着空気処理装置６３０を通過してからさらに前記熱交換器６２０を通過した空気を外部に排出させるか、あるいは空気浄化器１に送風させて再処理するための脱着空気移送装置６４０とで含んでなっている。
【００９７】
ここで、前記熱交換器６２０は、脱着部３４を通過しながらガス状物質を脱着させた高温の空気と、前記空気中のガス状物質が脱着空気処理装置６３０を通過して浄化、処理された後の空気が交差しながら通過することになる。
【００９８】
したがって、前記脱着部３４を通過した空気は脱着空気処理装置６３０を通過しながら、相当な高温、つまり５０〜４００℃を維持する浄化、処理された空気と熱交換することによってさらに加熱されたままで脱着空気処理装置６４０に供給される。
【００９９】
参考のために、未説明符号６３２は脱着空気処理装置に適用されるヒーター、６３４は触媒層を示すものである。
【０１００】
以下、空気を浄化、処理する過程は以前の実施例と同様であるので、その反復説明は省略する。
【０１０１】
＜第８実施例＞
一方、図１５は本発明の第８実施例による空気浄化器の概略的な構成を示す構成図で、以前の第６実施例及び第７実施例の変形実施例を示すものである。その同一部分に対しては同一符号を付けて説明し、その反復説明は省略する。
【０１０２】
図示のように、本発明の第８実施例による空気浄化器１の脱着手段６００も、再生脱臭フィルター３０の脱着部３４に送風させる空気を吸着温度以上の脱着温度に加熱させる加熱装置６１０と、前記脱着部３４で脱着されたガス状物質を含む空気が通過する熱交換器６２０と、前記熱交換器６２０を通過した空気中のガス状物質を浄化、処理する脱着空気処理装置６３０と、この脱着空気処理装置６３０を通過してからさらに前記熱交換器６２０を通過し、さらに前記加熱装置６１０を通過した空気を送風させるための脱着空気移送装置６４０とを含んでなる。
【０１０３】
ここで、前記熱交換器６２０は、脱着部３４を通過しながらガス状物質を脱着させた高温の空気と、前記空気中のガス状物質が脱着空気処理装置６３０を通過する過程で浄化、処理された後の空気が交差しながら通過することになる。
【０１０４】
したがって、前記脱着部３４を通過した空気は熱交換器６２０を通過する過程で、相当な高温、つまり５０〜４００℃を維持する浄化、処理された空気と熱交換することによりさらに加熱された状態で脱着空気処理装置６３０に供給される。
【０１０５】
また、前記脱着空気処理装置６３０を通過してから熱交換器６２０を経った空気はさらに加熱装置６１０を通過する過程で、前記加熱装置６１０を通過する空気と熱交換を成す。
【０１０６】
したがって、前記脱着空気処理装置６３０及び熱交換器６２０を経って高温に加熱された空気によって、再生脱臭フィルター３０の冷却部３４ａを経て加熱装置６１０に流入する常温の空気が熱交換されて加熱された後、脱着部３４を通過することになる。
【０１０７】
参考のために、図面において、未説明符号６３２は脱着空気処理装置に適用されるヒーター、６３４は触媒層を示すものである。
【０１０８】
以下、空気を浄化、処理する過程は以前の第６及び第７実施例と同一であるので、その反復説明は省略する。
【符号の説明】
【０１０９】
１：空気浄化器
１０、２０：粒子状物質除去フィルター
３０：再生脱臭フィルター
３２：吸着部
３４：脱着部
３４ａ：冷却部
３６：吸着ローター
４０、５０：後処理フィルター
６０：空気移送装置
１００、２００、３００、４００、５００、６００：脱着手段
１１０、４１０、６１０：加熱装置
１２０、２３０、３２０、４３０、５２０、６３０：脱着空気処理装置
１２２、３２２、４３２、５２２、６３２：ヒーター
１２４、３２４、４３４、５２４、６３４：触媒層
１３０、２２０、３３０、４４０、５３０、６４０：脱着空気移送装置
１４０：ガスセンサー
２１０：空圧調節装置
【図１】
2010524628.tif 000003
【図２】
2010524628.tif 000004
【図３】
2010524628.tif 000005
【図４】
2010524628.tif 000006
【図５】
2010524628.tif 000007
【図６】
2010524628.tif 000008
【図７】
2010524628.tif 000009
【図８】
2010524628.tif 000010
【図９】
2010524628.tif 000011
【図１０】
2010524628.tif 000012
【図１１】
2010524628.tif 000013
【図１２】
2010524628.tif 000014
【図１３（ａ）】
2010524628.tif 000015
【図１３（ｂ）】
2010524628.tif 000016
【図１４】
2010524628.tif 000017
【図１５】
2010524628.tif 000018
【国際調査報告】
2010524628.tif 000019
2010524628.tif 000020